(57)【要約】【課題】簡単に導通検査をすることができるワイヤハーネス検査装置を提供する。【解決手段】ワイヤハーネスＭの信号ラインに対応して、第１受コネクタ１０１から信号が入力され、第２受コネクタ１０２に信号を出力する信号ライン第１判定手段１１１を備える。１番目の信号ライン第１判定手段１１１−１は、基準信号と、１番目の信号ライン第１受ピン１０１−Ｓ１を通過した１番個別信号と、遅延信号が入力され、乗算して２番目の信号ライン第２受ピン１０２−Ｓ２に出力する。ｍ番目の信号ライン第１判定手段１１１−ｍは、ｍ−１番目の信号ライン第１受ピン１０１−Ｓｍ−１を通過したｍ−１番個別信号と、ｍ番目の信号ライン第１受ピン１０１−Ｓｍを通過したｍ番個別信号と、遅延信号とが入力され、乗算して、ｍ＋１番目の信号ライン第２受ピン１０２−Ｓｍ＋１に出力する。【選択図】図２
2018141756.tif 000002
【特許請求の範囲】
【請求項１】
ワイヤハーネスの導通を検査するワイヤハーネス検査装置であって、
前記ワイヤハーネスを接続する第１受コネクタ及び第２受コネクタと、
これら第１受コネクタ及び第２受コネクタに接続され、前記ワイヤハーネスのｎ本（ｎは３以上の整数）の信号ラインに対応して、前記第１受コネクタから信号が入力され、前記第２受コネクタに信号を出力するｎ−１個の信号ライン第１判定手段と、
前記１番目の信号ライン第１判定手段に対して、基準信号を入力する基準信号入力手段と、
前記ｎ−１個の信号ライン第１判定手段に対して、１番目からｎ−１番目まで順番に所定の時間ずつ遅らせて、矩形波よりなる遅延信号を入力する遅延信号回路と、
前記第１受コネクタを通過した信号に基づいて、前記各信号ラインの検査結果を個別に表示するｎ個の信号ライン個別表示手段とを備え、
１番目の前記信号ライン第１判定手段は、前記基準信号入力手段からの基準信号と、前記第１受コネクタにおいて１番目の信号ライン第１受ピンを通過した矩形波よりなる１番個別信号と、前記遅延信号回路からの遅延信号とを入力信号とし、これらの入力信号を乗算して、その出力信号を前記第２受コネクタの２番目の信号ライン第２受ピンに対して出力する機能を有し、
ｍ番目（ｍは２以上ｎ−１以下の整数）の前記信号ライン第１判定手段は、前記第１受コネクタにおいてｍ−１番目の信号ライン第１受ピンを通過した矩形波よりなるｍ−１番個別信号と、前記第１受コネクタにおいてｍ番目の信号ライン第１受ピンを通過した矩形波よりなるｍ番個別信号と、前記遅延信号回路からの遅延信号とを入力信号とし、これらの入力信号を乗算して、その出力信号を前記第２受コネクタのｍ＋１番目の信号ライン第２受ピンに対して出力する機能を有する
ことを特徴とするワイヤハーネス検査装置。
【請求項２】
前記第１受コネクタを通過した信号に基づいて、信号ライン全体における良否を判定する信号ライン全体判定手段を備えた
ことを特徴とする請求項１記載のワイヤハーネス検査装置。
【請求項３】
前記第２受コネクタにおいて、Ｌ番目（Ｌは１以上ｎ以下の整数）の信号ライン第２受ピンに入力されるＬ番信号と、Ｌ＋１番目の信号ライン第２受ピンに入力されるＬ＋１番信号とを入力信号とし、これらの入力信号を乗算して、その結果を出力するｎ個の信号ライン第２判定手段と、
この各信号ライン第２判定手段の出力をセット入力信号、前記Ｌ番信号の反転信号を積分した信号をリセット入力信号とし、セット入力信号が０の場合には１を出力し、セット入力信号が１、リセット入力信号が０の場合には０を出力し、セット入力信号及びリセット入力信号が１の場合には出力信号を変化させずにそれまでの出力信号を出力するｎ個のフリップフロップ回路とを有し、
この各フリップフロップ回路の出力信号に基づいて、前記信号ラインのショートを検出する信号ラインショート検出手段を備えた
ことを特徴とする請求項１又は請求項２記載のワイヤハーネス検査装置。
【請求項４】
Ｌ番信号とＬ＋１番信号とに基づく前記信号ラインショート検出手段の出力信号と、Ｌ番目の信号ライン第１受ピンを通過したＬ番個別信号とを入力信号とし、これらの入力信号を乗算して、その結果を出力するｎ個の信号ライン個別判定手段を備え、
前記信号ラインショート検出手段は、前記各フリップフロップ回路の出力の反転信号と、マルチバイブレータの出力とを入力信号とし、これらの入力信号を乗算して、その結果を出力するｎ個の信号ライン第３判定手段を有する
ことを特徴とする請求項３記載のワイヤハーネス検査装置。
【請求項５】
前記第１受コネクタにおいて、前記ワイヤハーネスのｎ本の正電源ラインに対応するｎ個の正電源ライン第１受ピンと個別に接続され、各正電源ラインの導通状態を第１色の光で表示するｎ個の正電源ライン個別表示手段と、
前記第１受コネクタにおいて、前記ワイヤハーネスのｎ本の負電源ラインに対応するｎ個の負電源ライン第１受ピンと個別に接続され、各負電源ラインの導通状態を第１色とは異なる第２色の光で表示するｎ個の負電源ライン個別表示手段と
を備えたことを特徴とする請求項１から請求項４のいずれか１に記載のワイヤハーネス検査装置。
【発明の詳細な説明】
【技術分野】
【０００１】
本発明は、ワイヤハーネスの導通を検査するワイヤハーネス検査装置に関する。
【背景技術】
【０００２】
近年、産業用機械においてワイヤハーネスが多数使用されている。ワイヤハーネスは、例えば、複数の電線を結束帯やチューブ、粘着テープなどでまとめ、端部に複数の電線を一度に接続できるコネクタが取り付けられている。このようなワイヤハーネスでは、製造の最終工程において、電線が設計通りに配線されているか否、又は、断線やショートがないか等の導通検査が行われる。この導通検査は非常に面倒であり、従来より、簡便に検査することができる検査装置が提案されている。
【０００３】
例えば、特許文献１には、ダイオードが同一方向に接続され、かつ各接点及び両端のダイオードの端子に一個ずつ配線されたコネクタを有するダイオード終端器（１）と切替接触子が電源Ｅに接続されたｎ接点スイッチにより入力コネクタに電源Ｅを順次切替接続して、電流符号比較回路により電流符号致と不一致を検出する配線良否判定回路（３）により構成され、ケーブルの片側のコネクタにダイオード終端器（１）を接続し、さらに他方のコネクタを配線良否判定回路（３）の入力コネクタに接続して、ケーブルの配線の良否を判定する検査装置が記載されている。この検査装置によれば、スイッチを接点１からｎに順次切り替えて各入力コネクタに電源Ｅを順次切替接続し、電流符号が一致するか否かを見ることにより、不良を発見することができる。
【先行技術文献】
【特許文献】
【０００４】
【特許文献１】特開平６−１４８２５２号公報
【発明の概要】
【発明が解決しようとする課題】
【０００５】
しかしながら、特許文献１に記載の検査装置では、電流符号の不一致を見るので、誤配線と短絡とを区別することができず、また、複数個所において誤配線があった場合には、誤配線の位置を特定することが難しいという問題があった。更に、スイッチを接点１からｎに順次切り替えて各入力コネクタに電源Ｅを順次切替接続し、各入力コネクタについて電流符号の一致を見るので、手間がかかり面倒であるという問題もあった。
【０００６】
本発明は、このような問題に基づきなされたものであり、簡単に導通検査をすることができるワイヤハーネス検査装置を提供することを目的とする。
【課題を解決するための手段】
【０００７】
本発明のワイヤハーネス検査装置は、ワイヤハーネスの導通を検査するものであって、ワイヤハーネスを接続する第１受コネクタ及び第２受コネクタと、これら第１受コネクタ及び第２受コネクタに接続され、ワイヤハーネスのｎ本（ｎは３以上の整数）の信号ラインに対応して、第１受コネクタから信号が入力され、第２受コネクタに信号を出力するｎ−１個の信号ライン第１判定手段と、１番目の信号ライン第１判定手段に対して、基準信号を入力する基準信号入力手段と、ｎ−１個の信号ライン第１判定手段に対して、１番目からｎ−１番目まで順番に所定の時間ずつ遅らせて、矩形波よりなる遅延信号を入力する遅延信号回路と、第１受コネクタを通過した信号に基づいて、各信号ラインの検査結果を個別に表示するｎ個の信号ライン個別表示手段とを備え、１番目の信号ライン第１判定手段は、基準信号入力手段からの基準信号と、第１受コネクタにおいて１番目の信号ライン第１受ピンを通過した矩形波よりなる１番個別信号と、遅延信号回路からの遅延信号とを入力信号とし、これらの入力信号を乗算して、その出力信号を第２受コネクタの２番目の信号ライン第２受ピンに対して出力する機能を有し、ｍ番目（ｍは２以上ｎ−１以下の整数）の信号ライン第１判定手段は、第１受コネクタにおいてｍ−１番目の信号ライン第１受ピンを通過した矩形波よりなるｍ−１番個別信号と、第１受コネクタにおいてｍ番目の信号ライン第１受ピンを通過した矩形波よりなるｍ番個別信号と、遅延信号回路からの遅延信号とを入力信号とし、これらの入力信号を乗算して、その出力信号を第２受コネクタのｍ＋１番目の信号ライン第２受ピンに対して出力する機能を有するものである。
【０００８】
このワイヤハーネス検査装置では、例えば、第１受コネクタ及び第２受コネクタにワイヤハーネスを接続し、１番目の信号ライン第２受ピンに矩形波よりなる信号を入力し、１番目の信号ライン第１判定手段に基準信号及び遅延信号を入力する。１番目の信号ライン第１判定手段では、例えば、基準信号と、１番目の信号ライン第１受ピンを通過した矩形波よりなる１番個別信号と、遅延信号とを入力信号とし、これらの入力信号を乗算して、その出力信号を２番目の信号ライン第２受ピンに対して出力する。また、ｍ番目の信号ライン第１判定手段では、例えば、ｍ−１番目の信号ライン第１受ピンを通過した矩形波よりなるｍ−１番個別信号と、ｍ番目の信号ライン第１受ピンを通過した矩形波よりなるｍ番個別信号と、遅延信号とを入力信号とし、これらの入力信号を乗算して、その出力信号をｍ＋１番目の信号ライン第２受ピンに対して出力する。よって、信号ライン第１判定手段は１番目からｎ−１番目まで順に動作する。また、信号ライン個別表示手段は、第１受コネクタの各信号ライン第１受ピンを通過した信号に基づいて、各信号ラインの良否を個別に表示する。
【０００９】
例えば、ｍ番目の信号ラインに断線があった場合には、ｍ−１番目までの信号ライン個別表示手段は導通となるが、ｍ番目の信号ライン第１受ピンにはｍ番個別信号が入力されないので、ｍ番目の信号ライン個別表示手段は不通となる。また、ｍ番目以降の信号ライン第１判定手段は動作停止となり、ｍ＋１番目以降の信号ライン第１受ピンにも信号が入力されないので、ｍ＋１番目以降の信号ライン個別表示手段も不通となる。よって、各信号ライン個別表示手段において、所定の番号以降の全てに不通の表示がされた場合には、所定の番号の信号ラインに断線があることが分かる。
【００１０】
また、例えば、ｍ番目とｍ＋１番目の信号ラインが誤配線されていた場合には、ｍ番目の信号ライン第１受ピンにｍ番目の信号ライン第１判定手段の出力が入力されるので、信号は入力されず、ｍ番目の信号ライン個別表示手段は不通となる。また、ｍ番目以降の信号ライン第１判定手段は動作停止となるが、誤配線されたｍ＋１番目の信号ライン第１受ピンには、ｍ番目の信号ライン第１受ピンに入力されるべき信号が入力されるので、ｍ＋１番目の信号ライン個別表示手段導通となる。よって、各信号ライン個別表示手段において、所定の番号において不通が表示され、所定の番号よりも後の番号において導通の表示がされた場合には、その不通の表示がされた番号の信号ラインと導通の表示がされた番号の信号ラインとが誤配線されていることが分かる。
【発明の効果】
【００１１】
本発明によれば、各信号ライン個別表示手段において、所定の番号以降の全てに不通の表示がされた場合には、所定の番号の信号ラインに断線があることが分かり、所定の番号において不通が表示され、所定の番号よりも後の番号において導通の表示がされた場合には、その不通の表示がされた番号の信号ラインと導通の表示がされた番号の信号ラインとが誤配線されていることが分かるので、信号ラインについて、断線の有無及び位置、並びに、誤配線の有無及び位置を容易に検出することができる。
【００１２】
また、第１受コネクタを通過した信号に基づいて、信号ライン全体における良否を知らせる信号ライン全体判定手段を備えるようにすれば、不良の有無を容易に知ることができる。
【００１３】
更に、Ｌ番目（Ｌは１以上ｎ以下の整数）の信号ライン第２受ピンに入力されるＬ番信号と、Ｌ＋１番目の信号ライン第２受ピンに入力されるＬ＋１番信号とを入力信号とし、これらの入力信号を乗算して、その結果を出力する信号ライン第２判定手段と、信号ライン第２判定手段の出力をセット入力信号、Ｌ番信号の反転信号を積分した信号をリセット入力信号とするフリップフロップ回路とを有する信号ラインショート検出手段を備えるようにすれば、フリップフロップ回路の出力信号に基づいて、Ｌ番目とＬ＋１番目の信号ラインのショートを容易に検出することができる。
【００１４】
加えて、信号ラインショート検出手段は、フリップフロップ回路の出力の反転信号と、マルチバイブレータの出力とを入力信号とし、これらの入力信号を乗算して、その結果を出力する信号ライン第３判定手段を有するようにすれば、ショートがある場合に、一定の間隔を開けたパルス信号を出力することができる。よって、信号ラインショート検出手段の出力信号と、信号ライン第１受ピンを通過した信号とを入力信号とし、これらの入力信号を乗算して、その結果を出力する信号ライン個別判定手段を設けるようにすれば、信号ライン個別表示手段において、信号ラインの断線、誤配線、及び、ショートを区別して表示することができる。よって、容易に不良の内容を知ることができる。
【００１５】
更にまた、各正電源ラインの導通状態を第１色の光で表示する正電源ライン個別表示手段と、各負電源ラインの導通状態を第１色とは異なる第２色の光で表示する負電源ライン個別表示手段とを備えるようにすれば、光及び色により、正電源ライン及び負電源ラインの断線、及び、誤配線を区別して表すことができる。よって、正電源ライン及び負電源ラインについて、断線の有無及び位置、並びに、誤配線の有無及び位置を容易に検出することができる。
【図面の簡単な説明】
【００１６】
【図１】本発明の一実施の形態に係るワイヤハーネス検査装置の全体構成を表す図である。
【図２】信号ライン誤配線検査部、信号ライン個別総合判断部、信号ライン全体判定手段、及び、表示部の構成を表す回路図である。
【図３】正電源ライン検査部、負電源ライン検査部、及び、表示部の構成を表す回路図である。
【図４】増設回路基板１０４の構成を表す回路図である。
【図５】信号ラインにショートがない場合のショート検出手段における動作を説明するタイムチャート図である。
【図６】信号ラインにショートがある場合のショート検出手段における動作を説明するタイムチャート図である。
【図７】電源装置の構成を表す図である。
【図８】ワイヤハーネスＭの信号ラインに誤配線がある場合を説明するための図である。
【図９】ワイヤハーネスＭの信号ラインに断線がある場合を説明するための図である。
【図１０】ワイヤハーネスＭの正電源ラインと負電源ラインとに誤配線がある場合を説明するための図である。
【図１１】ワイヤハーネスＭの正電源ライン又は負電源ラインに誤配線がある場合を説明するための図である。
【図１２】ワイヤハーネスＭの正電源ライン又は負電源ラインに断線がある場合を説明するための図である。
【発明を実施するための形態】
【００１７】
以下、本発明の実施の形態について、図面を参照して詳細に説明する。
【００１８】
図１は、本発明の一実施の形態に係るワイヤハーネス検査装置１００の全体構成を表すものである。このワイヤハーネス検査装置１００は、ワイヤハーネスＭの導通を検査するものであり、例えば、シーケンサー用ワイヤハーネスの検査に好ましく用いることができる。ワイヤハーネスＭは、例えば、複数の電線Ｍ１をまとめ、端部に複数の電線Ｍ１を一度に接続できる第１コネクタＭ２と第２コネクタＭ３とが取り付けられた構成を有している。本実施の形態では、電線Ｍ１として、ｎ本（ｎは３以上の整数）の信号ラインと、ｎ本の正電源ラインと、ｎ本の負電源ラインとを有し、電線Ｍ１の一方の端部に第１コネクタＭ２としてｎ個の３Ｐコネクタが取り付けられ、電線Ｍ１の他方の端部に１個の第２コネクタＭ３が取り付けられたシーケンサー用ワイヤハーネスを検査する場合を例に挙げて説明する。
【００１９】
このワイヤハーネス検査装置１００は、例えば、ワイヤハーネスＭを接続する第１受コネクタ１０１及び第２受コネクタ１０２と、これら第１受コネクタ１０１及び第２受コネクタ１０２に接続された本体回路基板１０３と、この本体回路基板１０３に接続された増設回路基板１０４と、これら本体回路基板１０３及び増設回路基板１０４に入力する信号を制御する電源装置１０５とを備えている。
【００２０】
第１受コネクタ１０１は、ワイヤハーネスＭの第１コネクタＭ２が取り付けられるものであり、第１コネクタＭ２に対応して、例えば、ｎ個の３Ｐコネクタが設けられている。第２受コネクタ１０２は、ワイヤハーネスＭの第２コネクタＭ３が取り付けられるものであり、第２コネクタＭ３に対応して、例えば、１個のコネクタが設けられている。
【００２１】
本体回路基板１０３は、例えば、ワイヤハーネスＭの信号ラインの誤配線を個別に検査する信号ライン誤配線検査部１１０と、各信号ラインの総合判断を行う信号ライン個別総合判断部１２０と、信号ライン全体における良否を判定する信号ライン全体判定手段１３０と、検査の結果を表示する表示部１４０と、ワイヤハーネスＭの正電源ラインを検査する正電源ライン検査部１５０と、ワイヤハーネスＭの負電源ラインを検査する負電源ライン検査部１６０と、正電源ラインと負電源ラインとのショートを検出する電源ラインショート検出手段１７０とを有している。
【００２２】
図２は、信号ライン誤配線検査部１１０、信号ライン個別総合判断部１２０、信号ライン全体判定手段１３０、及び、表示部１４０の構成を表すものである。信号ライン誤配線検査部１１０は、例えば、ワイヤハーネスＭのｎ本の信号ラインＭ１１に対応して、第１受コネクタ１０１から信号が入力され、第２受コネクタ１０２に信号を出力するｎ−１個の信号ライン第１判定手段１１１を有している。
【００２３】
１番目の信号ライン第１判定手段１１１−１は、電源装置１０５と、第１受コネクタ１０１における１番目の信号ラインＭ１１−１に対応する１番目の信号ライン第１受ピン１０１−Ｓ１と、第２受コネクタ１０２における２番目の信号ラインＭ１１−２に対応する２番目の信号ライン第２受ピン１０２−Ｓ２とそれぞれ接続されている。この１番目の信号ライン第１判定手段１１１−１は、電源装置１０５からの基準信号と、１番目の信号ライン第１受ピン１０１−Ｓ１を通過した矩形波よりなる１番個別信号と、電源装置１０５からの遅延信号とを入力信号とし、これらの入力信号を乗算して、その出力信号を２番目の信号ライン第２受ピン１０２−Ｓ２に対して出力する機能を有している。
【００２４】
ｍ番目（ｍは２以上ｎ−１以下の整数）の信号ライン第１判定手段１１１−ｍは、第１受コネクタ１０１におけるｍ−１番目の信号ラインＭ１１−ｍ−１に対応するｍ−１番目の信号ライン第１受ピン１０１−ｍ−１と、第１受コネクタ１０１におけるｍ番目の信号ラインＭ１１−ｍに対応するｍ番目の信号ライン第１受ピン１０１−ｍと、電源装置１０５と、第２受コネクタ１０２におけるｍ＋１番目の信号ラインＭ１１−ｍ＋１に対応するｍ＋１番目の信号ライン第２受ピン１０２−Ｓｍ＋１とそれぞれ接続されている。このｍ番目の信号ライン第１判定手段１１１−ｍは、ｍ−１番目の信号ライン第１受ピン１０１−ｍ−１を通過した矩形波よりなるｍ−１番個別信号と、ｍ番目の信号ライン第１受ピン１０１−ｍを通過した矩形波よりなるｍ番個別信号と、電源装置１０５からの遅延信号とを入力信号とし、これらの入力信号を乗算して、その出力信号をｍ＋１番目の信号ライン第２受ピン１０２−Ｓｍ＋１に対して出力する機能を有している。
【００２５】
１番目の信号ライン第２受ピン１０２−Ｓ１は電源装置１０５と接続されており、１番目の信号ライン第２受ピン１０２−Ｓ１と電源装置１０５との間にはダイオード１１２が接続されている。また、１番目の信号ライン第１判定手段１１１−１と２番目の信号ライン第２受ピン１０２−Ｓ２との間、及び、ｍ番目の信号ライン第１判定手段１１１−ｍとｍ＋１番目の信号ライン第２受ピン１０２−Ｓｍ＋１との間にも、それぞれダイオード１１２が接続されている。このダイオード１１２は、ワイヤハーネスＭに誤配線があった場合に逆流を防止するためのものである。
【００２６】
１番目の信号ライン第１受ピン１０１−Ｓ１と１番目の信号ライン第１判定手段１１１−１とを接続する配線、及び、ｍ番目の信号ライン第１受ピン１０１−Ｓｍとｍ番目の信号ライン第１判定手段１１１−ｍとを接続する配線には、ノイズフィルター１１３がそれぞれ接続されている。ノイズフィルター１１３は、例えば、コンデンサーと抵抗とからなる積分回路により構成されており、ワイヤハーネスＭに外部空間より進入するノイズ等を除去すると共に、ワイヤハーネスＭに誤配線があった時に信号ライン第１判定手段１１１に帰還されるトゲ波電圧を除去するためのものである。なお、ｎ番目の信号ライン第１受ピン１０１−Ｓｎと信号ライン個別総合判断部１２０、具体的には、ｎ番目の後述する信号ライン個別判定手段１２１−ｎとを接続する配線にも、ノイズフィルター１１３が接続されている。
【００２７】
信号ライン個別総合判断部１２０は、例えば、ワイヤハーネスＭのｎ本の信号ラインＭ１１に対応して、第１受コネクタ１０１及び増設回路基板１０４から信号が入力され、表示部１４０に信号を出力するｎ個の信号ライン個別判定手段１２１を有している。各信号ライン個別判定手段１２１は、各信号ラインの導通状態を個別に判定するものである。Ｌ番目（Ｌは１以上ｎ以下の整数）の信号ライン個別判定手段１２１−Ｌは、第１受コネクタ１０１におけるＬ番目の信号ラインＭ１１−Ｌに対応するＬ番目の信号ライン第１受ピン１０１−ＳＬと、増設回路基板１０４と、表示部１４０とそれぞれ接続されており、Ｌ番目の信号ライン第１受ピン１０１−ＳＬを通過したＬ番個別信号と、増設回路基板１０４からのＬ番目の信号ラインＭ１１−Ｌに対応するショートに関する信号とを入力信号とし、これらの入力信号を乗算して、その結果を出力する機能を有している。各信号ライン個別判定手段１２１と表示部１４０との間には、逆流防止用のダイオード１２２がそれぞれ接続されている。
【００２８】
信号ライン全体判定手段１３０は、例えば、各信号ライン個別判定手段１２１の出力電圧の総和をデジタル処理するためのダイオード１３１を有し、この出力信号に基づいて、全ての信号ラインＭ１１につい不良が存在しなかったかを検出するようになっている。
【００２９】
表示部１４０は、例えば、ワイヤハーネスＭの各信号ラインについて個別に検査結果を表示するｎ個の信号ライン個別表示手段１４１と、信号ライン全体として判定結果を表示する信号ライン全体表示手段１４２とを有している。各信号ライン個別表示手段１４１は、各信号ライン個別判定手段１２１と個別に接続されている。各信号ライン個別表示手段１４１は、例えば、ＬＥＤ等により検査結果を光で表示するように構成されており、導通があった時に点灯し、不通であった時に点灯しないように設定されている。
【００３０】
信号ライン全体表示手段１４２は、信号ライン全体判定手段１３０と接続されており、信号ライン全体判定手段１３０の判定結果をＬＥＤ等の光とブザー等の音で表示するように構成されている。例えば、全ての信号ラインＭ１１について導通があった時には、良として点灯すると共に連続音を発生させ、信号ラインＭ１１について１つでも不通があった時には、不良として点滅すると共に断続音を発生させるように設定されている。
【００３１】
図３は、正電源ライン検査部１５０、負電源ライン検査部１６０、電源ラインショート検出手段１７０、及び、表示部１４０の構成を表すものである。正電源ライン検査部１５０は、例えば、ワイヤハーネスＭのｎ本の正電源ラインＭ１２に対応して、第１受コネクタ１０１の各正電源ライン第１受ピン１０１−Ｐと表示部１４０とを個別に接続するｎ本の配線１５１を有している。各配線１５１には、逆流防止用のダイオード１５２がそれぞれ接続されている。また、正電源ライン検査部１５０は、正電源ライン全体について判定する正電源ライン全体判定手段１５３を有している。正電源ライン全体判定手段１５３は、各正電源ライン第１受ピン１０１−Ｐ及び表示部１４０と接続され、各正電源ライン第１受ピン１０１−Ｐからの入力を乗算し、その結果に基づいて、全ての正電源ラインＭ１２につい不良が存在しなかったかを検出するようになっている。なお、第２受コネクタ１０２の正電源ライン第２受ピン１０２−Ｐは電源装置１０５と接続されている。
【００３２】
負電源ライン検査部１６０は、例えば、ワイヤハーネスＭのｎ本の負電源ラインＭ１３に対応して、第１受コネクタ１０１の各負電源ライン第１受ピン１０１−Ｎと表示部１４０とを個別に接続するｎ本の配線１６１を有している。各配線１６１には、逆流防止用のダイオード１６２がそれぞれ接続されている。また、負電源ライン検査部１６０は、負電源ライン全体について判定する負電源ライン全体判定手段１６３を有している。負電源ライン全体判定手段１６３は、各負電源ライン第１受ピン１０１−Ｎ及び表示部１４０と接続され、各負電源ライン第１受ピン１０１−Ｎからの入力を乗算し、その結果に基づいて、全ての負電源ラインＭ１３につい不良が存在しなかったかを検出するようになっている。なお、第２受コネクタ１０２の負電源ライン第２受ピン１０２−Ｎは電源装置１０５と接続されている。
【００３３】
電源ラインショート検出手段１７０は、例えば、正電源ライン第２受ピン１０２−Ｐ及び負電源ライン第２受ピン１０２−Ｎに接続され、正電源ライン第２受ピン１０２−Ｐに入力される信号と、負電源ライン第２受ピン１０２−Ｎに入力される信号とを入力信号とし、これらの入力信号を乗算して、結果を表示部１４０に出力するように構成されている。
【００３４】
表示部１４０は、例えば、ワイヤハーネスＭの各正電源ラインＭ１２について個別に検査結果を表示するｎ個の正電源ライン個別表示手段１４３と、正電源ライン全体として判定結果を表示する正電源ライン全体表示手段１４４と、ワイヤハーネスＭの各負電源ラインＭ１３について個別に検査結果を表示するｎ個の負電源ライン個別表示手段１４５と、負電源ライン全体として判定結果を表示する負電源ライン全体表示手段１４６と、電源ラインショート検出手段１７０の検出結果を表示する電源ラインショート表示手段１４７とを有している。
【００３５】
各正電源ライン個別表示手段１４３は、例えば、各配線１５１を介して各正電源ライン第１受ピン１０１−Ｐと個別に接続され、各正電源ラインＭ１２の導通状態をＬＥＤ等により光で表示するように構成されている。例えば、第１色のＬＥＤ等を用い、導通があった時に点灯し、不通であった時には点灯しないように設定されている。
【００３６】
正電源ライン全体表示手段１４４は、正電源ライン全体判定手段１５３と接続されており、正電源ライン全体判定手段１５３の判定結果をＬＥＤ等の光とブザー等の音で表示するように構成されている。例えば、全ての正電源ラインＭ１２について導通があった時には、良として点灯すると共に連続音を発生させ、正電源ラインＭ１２について１つでも不通があった時には、不良として点灯せずに断続音を発生させるように設定されている。
【００３７】
各負電源ライン個別表示手段１４５は、例えば、各配線１６１を介して各負電源ライン第１受ピン１０１−Ｎと個別に接続され、各負電源ラインＭ１３の導通状態をＬＥＤ等により光で表示するように構成されている。例えば、第２色のＬＥＤ等を用い、導通があった時に点灯し、不通であった時には点灯しないように設定されている。各正電源ライン個別表示手段１４３の第１色と、各負電源ライン個別表示手段１４５の第２色とは、異なる色とすることが好ましい。点灯の有無により断線を判断し、点灯の色により誤配線を判断することができるからである。また、各正電源ライン個別表示手段１４３と各負電源ライン個別表示手段１４５とは別にそれぞれ設けるようにしてもよいが、例えば、２色ＬＥＤ等を用いて一体として設けるようにすれば、どちらか一方のみが点灯した場合と、両方点灯した場合の合計３色で表すことができるので、誤配線の種類に応じて色を変えることができるので好ましい。
【００３８】
負電源ライン全体表示手段１４６は、負電源ライン全体判定手段１６３と接続されており、負電源ライン全体判定手段１６３の判定結果をＬＥＤ等の光とブザー等の音で表示するように構成されている。例えば、全ての負電源ラインＭ１３について導通があった時には、良として点灯すると共に連続音を発生させ、負電源ラインＭ１３について１つでも不通があった時には、不良として点灯せずに断続音を発生させるように設定されている。
【００３９】
電源ラインショート表示手段１４７は、電源ラインショート検出手段１７０と接続されており、その検出結果をＬＥＤ等の光とブザー等の音で表示するように構成されている。例えば、正電源ラインＭ１２と負電源ラインＭ１３との間にショートがない場合には、良として光も音も発生させず、ショートとがあった時には、不良として点滅させると共に断続音を発生させるように設定されている。
【００４０】
図４は、増設回路基板１０４の構成を表すものである。増設回路基板１０４は、例えば、第２受コネクタ１０２及び信号ライン個別判定手段１２１にそれぞれ接続され、ワイヤハーネスＭの隣接する信号ラインのショートを検出する信号ラインショート検出手段１８０を有している。
【００４１】
信号ラインショート検出手段１８０は、例えば、第２受コネクタ１０２において、Ｌ番目（Ｌは１以上ｎ以下の整数）の信号ラインＭ１１−Ｌに対応するＬ番目の信号ライン第２受ピン１０２−ＳＬに入力されるＬ番信号と、隣接するＬ＋１番目の信号ラインＭ１１−Ｌ＋１に対応するＬ＋１番目の信号ライン第２受ピン１０２−ＳＬ＋１に入力されるＬ＋１番信号とを入力信号とし、これらの入力信号を乗算して、その結果を出力するｎ個の信号ライン第２判定手段１８１−Ｌを有している。なお、Ｌがｎの場合には、ｎ＋１番目の信号ラインはないので、信号ラインが接続されない隣接する空のｎ＋１番目の信号ライン第２受ピン１０２−Ｓｎ＋１に接続され、ｎ番信号とｎ＋１番信号とを入力信号とし、それらを乗算して出力するようになっている。
【００４２】
信号ラインショート検出手段１８０は、更に、例えば、Ｌ番信号を反転する反転手段１８２−Ｌと、反転手段１８２−Ｌの出力を積分する積分手段１８３−Ｌと、各信号ライン第２判定手段１８１−Ｌの出力をセット入力信号、各積分手段１８３−Ｌの出力をリセット入力信号とするｎ個のフリップフロップ回路１８４−Ｌとを有している。フリップフロップ回路１８４−Ｌは、セット入力信号が０の場合には１を出力し、セット入力信号が１、リセット入力信号が０の場合には０を出力し、セット入力信号及びリセット入力信号が１の場合には出力信号を変化させずにそれまでの出力信号を出力するように構成されている。
【００４３】
【表１】
2018141756.tif 000003
【００４４】
表１にフリップフロップ回路１８４−Ｌの真理値表を示す。また、図５及び図６に、ショート検出手段１８０における動作を説明するタイムチャートを示す。図５は隣接する信号ラインＭ１１にショートがない場合、図６は隣接する信号ラインＭ１１にショートがある場合である。ショートがない場合には、図５に示したように、信号ライン第２判定手段１８１−ＬにＬ番信号のみが入力されている時には、信号ライン第２判定手段１８１−Ｌの出力は１×０＝０となり、フリップフロップ回路１８４−Ｌのセット入力信号が０となるので、フリップフロップ回路１８４−Ｌの出力は表１に示したように１のままで変化しない。また、信号ライン第２判定手段１８１−ＬにＬ番信号及びＬ＋１番信号が入力された時には、信号ライン第２判定手段１８１−Ｌの出力は１×１＝１となり、フリップフロップ回路１８４−Ｌのセット入力信号は１となるが、リセット入力信号が１となるので、フリップフロップ回路１８４−Ｌの出力は表１に示したように１のままで変化しない。
【００４５】
これに対して、ショートが有る場合には、図６に示したように、信号ライン第２判定手段１８１−ＬにＬ番信号とＬ＋１番信号とが同時に入力されるので、信号ライン第２判定手段１８１−Ｌの出力は１×１＝１、フリップフロップ回路１８４−Ｌのセット入力信号は１、リセット入力信号は０となり、フリップフロップ回路１８４−Ｌの出力は表１に示したように０となる。また、フリップフロップ回路１８４−Ｌのリセット入力信号はその後に１となるが、フリップフロップ回路１８４−Ｌの出力は表１に示したように０のまま変化しない。このように、ショートが有る場合と、ショートがない場合とで、フリップフロップ回路１８４−Ｌの出力が変わるので、信号ラインショート検出手段１８０は、各フリップフロップ回路１８４−Ｌの出力信号に基づいて、Ｌ番目とＬ＋１番目の信号ラインのショートを検出することができるようになっている。
【００４６】
また、信号ラインショート検出手段１８０は、各フリップフロップ回路１８４−Ｌの出力を反転する反転手段１８５−Ｌと、この反転手段１８５−Ｌの出力と、マルチバイブレータの出力とを入力信号とし、これらの入力信号を乗算して、その結果を出力するｎ個の信号ライン第３判定手段１８６−Ｌと、この各信号ライン第３判定手段１８６−Ｌの出力を反転するｎ個の反転手段１８７−Ｌとを有していることが好ましい。これにより、ショートがある場合には、一定の間隔を開けたパルス信号が出力されるようになっている。
【００４７】
各反転手段１８７−Ｌは、対応する信号ライン個別判定手段１２１に接続されている。例えば、Ｌ番目の信号ラインＭ１１−Ｌに対応する信号ラインショート検出手段１８０の出力信号、具体的には、Ｌ番信号とＬ＋１番信号とが入力されたＬ番目の信号ライン第２判定手段１８１−Ｌに対応する信号ラインショート検出手段１８０の出力信号は、Ｌ番目の信号ラインＭ１１−Ｌに対応するＬ番目の信号ライン第１受ピン１０１−ＳＬに接続されたＬ番目の信号ライン個別判定手段１２１−Ｌに入力されるようになっている。このように構成すれば、信号ライン個別表示手段１４１において、信号ラインの断線、誤配線、及び、ショートを区別して表示することができるので好ましい。
【００４８】
図７は、電源装置１０５の構成を表すものである。電源装置１０５は、信号ラインＭ１１の検査を開始するための信号ライン検査スイッチ１９１と、１番目の信号ライン第２受ピン１０２−Ｓ１に対して矩形波を入力する信号ライン入力手段１９２と、１番目の信号ライン第１判定手段１１１に対して基準信号を入力する基準信号入力手段１９３と、各信号ライン第１判定手段１１１に対して、１番目からｎ−１番目まで順番に所定の時間ずつ遅らせて、矩形波よりなる遅延信号を入力する遅延信号回路１９４とを有している。
【００４９】
信号ライン入力手段１９２、基準信号入力手段１９３、及び、遅延信号回路１９４は、信号ライン検査スイッチ１９１がオンとなると、それぞれ信号の入力を開始するようになっている。信号ライン入力手段１９２及び遅延信号回路１９４の信号は、例えば、直流電圧（例えば５Ｖ）により、電圧が与えられた状態を数字の１、電圧が与えられない０Ｖの状態を数字の０とするデジタル信号で表される。基準信号入力手段１９３は、例えば、基準信号として、一定圧（例えば５Ｖ）の直流電圧を与えるようになっている。すなわち、信号ライン検査スイッチ１９１がオンとなると、信号ライン入力手段１９２及び基準信号入力手段１９３は直流電圧を与えて信号を入力し、遅延信号回路１９４は各信号ライン第１判定手段１１１に対して順番に所定の時間ずつ遅らせて直流電圧を与えて信号の入力を順番に開始するようになっている。
【００５０】
電源装置１０５は、また、正電源ラインＭ１２の検査を開始するための正電源ライン検査スイッチ１９５と、正電源ライン検査スイッチ１９５がオンとなると、正電源ライン第２受ピン１０２−Ｐに対して一定圧を入力する正電源ライン入力手段１９６と、負電源ラインＭ１３の検査を開始するための負電源ライン検査スイッチ１９７と、負電源ライン検査スイッチ１９７がオンとなると、負電源ライン第２受ピン１０２−Ｎに対して一定圧を入力する負電源ライン入力手段１９８とを有している。これらの信号は、例えば、直流電圧（例えば５Ｖ）により、電圧が与えられた状態を数字の１、電圧が与えられない０Ｖの状態を数字の０とするデジタル信号で表される。電源装置１０５は、更に、マルチバイブレータ１９９を有している。なお、電源装置１０５は、図示しない電源に対して接続されるようになっている。
【００５１】
このワイヤハーネス検査装置１００は、例えば、次のようにしてワイヤハーネスＭの検査を行う。まず、第１受コネクタ１０１及び第２受コネクタ１０２に、検査対象のワイヤハーネスＭを取り付ける。次いで、順番に、信号ライン検査スイッチ１９１をオンにして信号ラインＭ１１の検査を行い、正電源ライン検査スイッチ１９５をオンにして正電源ラインＭ１２の検査を行い、負電源ライン検査スイッチ１９７をオンにして負電源ラインＭ１３の検査を行う。信号ラインＭ１１の検査、正電源ラインＭ１２の検査、及び、負電源ラインＭ１３の検査における動作は下記の通りである。
【００５２】
（ワイヤハーネスＭの信号ラインＭ１１に不良がない場合）
ワイヤハーネスＭの信号ラインＭ１１に不良がない場合には、次のように動作する（図２及び図４参照）。まず、信号ライン入力手段１９２により、１番目の信号ライン第２受ピン１０２−Ｓ１に対して矩形波が入力される。この信号１は、ワイヤハーネスＭの１番目の信号ラインＭ１１−１及び１番目の信号ライン第１受ピン１０１−Ｓ１を通過して、１番目の信号ライン第１判定手段１１１−１に入力される。１番目の信号ライン第１判定手段１１１−１には、また、基準信号入力手段１９３により一定圧の基準信号１が入力されると共に、遅延信号回路１９４により矩形波よりなる遅延信号１が入力される。１番目の信号ライン第１判定手段１１１−１では、１と１と１の乗算がされ、信号１が２番目の信号ライン第２受ピン１０２−Ｓ２に出力される。
【００５３】
この信号１は、ワイヤハーネスＭの２番目の信号ラインＭ１１−２及び２番目の信号ライン第１受ピン１０１−Ｓ２を通過して、２番目の信号ライン第１判定手段１１１−２に入力される。２番目の信号ライン第１判定手段１１１−２には、また、１番目の信号ライン第１受ピン１０１−Ｓ１を通過した信号１が入力されると共に、遅延信号回路１９４により遅延信号１が入力される。２番目の信号ライン第１判定手段１１１−２では、１と１と１の乗算がされ、信号１が３番目の信号ライン第２受ピン１０２−Ｓ３に出力される。以下、順に、ｍ番目の信号ライン第１判定手段１１１−ｍまで同様に動作する。
【００５４】
また、１番目の信号ライン第１受ピン１０１−Ｓ１を通過した信号１は、１番目の信号ライン個別判定手段１２１−１に入力される。１番目の信号ライン個別判定手段１２１−１には、更に１番目の信号ラインＭ１１−１に対応する信号ラインショート検出手段１８０からの信号１が入力される。１番目の信号ライン個別判定手段１２１−１では、１と１の乗算がされ、信号１が１番目の信号ライン個別表示手段１４１−１に出力されて点灯する。
【００５５】
なお、信号ラインショート検出手段１８０では、１番目の信号ライン第２受ピン１０２−Ｓ１に入力される信号１と、２番目の信号ライン第２受ピン１０２−Ｓ２に入力される信号１が１番目の信号ライン第２判定手段１８１−１に入力され、１と１の乗算がされ、信号１が１番目のフリップフロップ回路１８４−１にセット入力信号として入力される。また、１番目の信号ライン第２受ピン１０２−Ｓ１に入力される信号１は、反転し積分されて１番目のフリップフロップ回路１８４−１にリセット入力信号として入力される。１番目のフリップフロップ回路１８４−１では、表１及び図５に示したように動作し、信号１を出力する。この信号１は反転されて０となり、マルチバイブレータの出力と乗算されたのち、反転されて信号１となり、１番目の信号ライン個別判定手段１２１−１に入力される。
【００５６】
以下、順に、Ｌ番目の信号ライン個別判定手段１２１−１まで同様に動作し、Ｌ番目の信号ライン個別表示手段１４１−Ｌまで順に点灯し、Ｌ＋１番目の信号ライン個別表示手段１４１−Ｌ＋１にはＬ＋１番目の信号ライン第１受ピン１０１−ＳＬからの信号１が入力されて点灯する。これにより、全ての信号ライン個別表示手段１４１について導通が確認されて点灯する。また、各信号ライン個別判定手段１２１の出力信号１及びＬ＋１番目の信号ライン第１受ピン１０１−ＳＬからの信号１は、信号ライン全体判定手段１３０において総和のデジタル処理がされ、不良なしと判断されて、信号ライン全体表示手段１４２は良として点灯すると共に連続音が鳴る。これにより、信号ラインの検査が終了する。
【００５７】
（ワイヤハーネスＭの信号ラインＭ１１に誤配線がある場合）
ワイヤハーネスＭについて、例えば、図８に示したように１番目と２番目の信号ラインＭ１１−１，Ｍ１１−２の誤配線がある場合には、次のように動作する。１番目と２番目の信号ラインが誤配線されていると、１番目の信号ライン第１判定手段１１１−１の入力には、自己の出力が繋がることになる。この場合、１番目の信号ライン第１判定手段１１１−１の出力はトゲ波状の電圧を発生させることがあるが、このトゲ波状電圧は、ノイズフィルター１１３により除去されるので、１番目の信号ライン第１受ピン１０１−Ｓ１を通過して１番目の信号ライン第１判定手段１１１−１に入力される信号は０となる。１番目の信号ライン第１判定手段１１１−１には、基準信号入力手段１９３により基準信号１が入力されると共に、遅延信号回路１９４により遅延信号１が入力されるが、０と１と１の乗算がされるので、出力信号は０となる。
【００５８】
また、１番目の信号ライン第１受ピン１０１−Ｓ１を通過した信号０は２番目の信号ライン第１判定手段１１１−２にも入力されるので、２番目の信号ライン第１判定手段１１１−２の出力は０となり、以下、ｍ番目の信号ライン第１判定手段１１１−ｍまで動作が停止する。この動作停止は誤配線されている箇所から始まることになる。
【００５９】
更に、１番目の信号ライン第１受ピン１０１−Ｓ１を通過した信号０は１番目の信号ライン個別判定手段１２１−１にも入力されるので、１番目の信号ライン個別判定手段１２１−１の出力は０となり、１番目の信号ライン個別表示手段１４１−１には信号１が出力されず、不通として点灯せずに消灯を保つ。
【００６０】
一方、誤配線されている２番目の信号ライン第１受ピン１０１−Ｓ２には信号１が入力されるので、２番目の信号ライン個別判定手段１２１−２には信号１が入力される。２番目の信号ライン個別判定手段１２１−１では、２番目の信号ラインＭ１１−２に対応する信号ラインショート検出手段１８０からの信号１が入力されるので、１と１の乗算がされ、信号１が２番目の信号ライン個別表示手段１４１−２に出力されて、導通として点灯する。
【００６１】
また、信号ライン全体判定手段１３０では不良ありと判断され、信号ライン全体表示手段１４２は不良として点滅すると共に断続音が鳴る。これにより、信号ライン個別表示手段１４１において消灯が始まった番号の信号ラインＭ１１と、その後点灯した番号の信号ラインＭ１１とが誤配線されていることが分かる。
【００６２】
なお、１番目と２番目の信号ラインＭ１１−１，Ｍ１１−２が誤配線された場合について説明したが、他の位置で誤配線があっても、例えば、５番目と８番目というように離れた位置で誤配線があっても、同様に動作する。
【００６３】
（ワイヤハーネスＭの信号ラインＭ１１に断線がある場合）
ワイヤハーネスＭについて、例えば、図９に示したように２番目の信号ラインＭ１１−２の断線がある場合には、次のように動作する。１番目の信号ライン第１判定手段１１１−１、１番目の信号ライン個別判定手段１２１−１、及び、１番目の信号ライン個別表示手段１４１−１については正常の通常動作をする。２番目の信号ライン第１判定手段１１１−２では、２番目の信号ライン第１受ピン１０１−Ｓ２から信号１が入力されないので、出力は０となり、以下、ｍ番目の信号ライン第１判定手段１１１−ｍまで動作が停止する。この動作停止は断線されている箇所から始まることになる。
【００６４】
また、２番目の信号ライン個別判定手段１２１−２にも２番目の信号ライン第１受ピン１０１−Ｓ２から信号１が入力されないので、出力は０となり、２番目の信号ライン個別表示手段１４１−２には信号１が出力されず、不通として点灯せずに消灯を保つ。更に、信号ライン全体判定手段１３０では不良ありと判断され、信号ライン全体表示手段１４２は不良として点滅すると共に断続音が鳴る。これにより、信号ライン個別表示手段１４１において消灯が始まった番号の信号ラインＭ１１に断線があることが分かる。
【００６５】
（ワイヤハーネスＭの隣接する信号ラインＭ１１にショートがある場合）
ワイヤハーネスＭの１番目と２番目の信号ラインＭ１１−１，Ｍ１１−２にショートが有る場合には、次のように動作する（図４及び図６参照）。信号ラインショート検出手段１８０では、１番目の信号ライン第２受ピン１０２−Ｓ１に入力される信号１と、２番目の信号ライン第２受ピン１０２−Ｓ２に入力される信号１が１番目の信号ライン第２判定手段１８１−１に同時に入力され、１と１の乗算がされ、信号１が１番目のフリップフロップ回路１８４−１にセット入力信号として入力される。また、１番目の信号ライン第２受ピン１０２−Ｓ１に入力される信号１は、反転し積分されて１番目のフリップフロップ回路１８４−１にリセット入力信号として同時に入力される。１番目のフリップフロップ回路１８４−１では、表１及び図６に示したように動作し、出力信号は０となる。リセット入力信号はそののち信号１となるが、表１及び図６に示した通り、１番目のフリップフロップ回路１８４−１の出力は０で変化しない。この出力は反転されて信号１となり、マルチバイブレータの出力と乗算されて断続信号とされたのち、反転されて１番目の信号ライン個別判定手段１２１−１に入力される。
【００６６】
１番目の信号ライン個別判定手段１２１−１には、１番目の信号ライン第１受ピン１０１−Ｓ１を通過した信号１と、１番目の信号ラインＭ１１−１に対応する信号ラインショート検出手段１８０からの断続信号が入力され、乗算がされて、１番目の信号ライン個別表示手段１４１−１に断続信号が出力され、不良として点滅する。このように、信号ラインＭ１１の誤配線、断線、及び、ショートの不良の種類により、個別表示手段１４１の点灯の状態が異なるので、不良の種類を区別して認識することができる。また、信号ライン全体判定手段１３０では不良ありと判断され、信号ライン全体表示手段１４２は不良として点滅すると共に断続音が鳴る。
【００６７】
（ワイヤハーネスＭの正電源ラインＭ１２、負電源ラインＭ１３に不良がない場合）
ワイヤハーネスＭの正電源ラインＭ１２に不良がない場合には、次のように動作する（図３参照）。まず、正電源ライン入力手段１９６により、各正電源ライン第２受ピン１０２−Ｐに対して一定圧（例えば５Ｖ）が入力される。この信号１は、ワイヤハーネスＭの各正電源ラインＭ１２及び各正電源ライン第１受ピン１０１−Ｐを通過して、各配線１５１を介して、各正電源ライン個別表示手段１４３に出力され、全てについて導通であることを示す第１色の点灯がされる。また、各正電源ライン第１受ピン１０１−Ｐを通過した信号１は、正電源ライン全体判定手段１５３に入力され、乗算されて、信号１が正電源ライン全体表示手段１４４に出力され、正電源ライン全体表示手段１４４は良として点灯すると共に連続音が鳴る。これにより、正電源ラインＭ１２の検査が終了する。
【００６８】
負電源ラインＭ１３の検査についても、正電源ラインＭ１２と同様に、負電源ライン入力手段１９８により、各負電源ライン第２受ピン１０２−Ｎ、各負電源ラインＭ１３、各負電源ライン第１受ピン１０１−Ｎ、及び、各配線１６１を介して、各負電源ライン個別表示手段１４５に出力され、全てについて導通であることを示す第２色の点灯がされる。また、各負電源ライン第１受ピン１０１−Ｎを通過した信号１は、負電源ライン全体判定手段１６３に入力され、乗算されて、信号１が負電源ライン全体表示手段１４６に出力され、負電源ライン全体表示手段１４６が良として点灯すると共に連続音が鳴る。これにより、負電源ラインＭ１３の検査が終了する。
【００６９】
（ワイヤハーネスＭの正電源ラインＭ１２と負電源ラインＭ１３とに誤配線がある場合）
ワイヤハーネスＭについて、例えば、図１０に示したように、正電源ラインＭ１２と負電電ラインＭ１３とを逆に接続する誤配線がある場合には、次のように動作する。例えば、正電源ラインＭ１２を検査する際には、誤配線されている箇所では、正電源ライン入力手段１９６により一定圧（例えば５Ｖ）が入力されると、負電源ライン第１受ピン１０１−Ｎ、配線１６１を介して、負電源ライン個別表示手段１４５に信号が出力され、第２色の点灯がされる。よって、正常の箇所は第１色の点灯がされ、誤配線されている箇所は第１色は点灯せず第２色の点灯がされるので、正電源ラインＭ１２と負電源ラインＭ１３とを誤配線していることが分かる。また、正電源ライン全体判定手段１５３の出力は０となり、正電源ライン全体表示手段１４４は不良として点灯せず、断続音が鳴る。なお、負電源ラインＭ１３を検査する際にも同様に動作する。
【００７０】
（ワイヤハーネスＭの正電源ラインＭ１２又は負電源ラインＭ１３に誤配線がある場合）
ワイヤハーネスＭについて、例えば、図１１に示したように、正電源ラインＭ１２又は負電電ラインＭ１３の一方のみに誤配線がある場合には、次のように動作する。例えば、負電電ラインＭ１３に接続されるべきものが正電源ラインＭ１２に接続されている場合には、正電源ラインＭ１２を検査する際に、誤配線されている箇所において、負電源ライン第１受ピン１０１−Ｎ、配線１６１を介して、負電源ライン個別表示手段１４５に信号が出力され、第１色と第２色とが同時に点灯がされる。よって、正常の箇所は第１色の点灯がされ、誤配線されている箇所は第１色と第２色とが同時に点灯がされるので、正電源ラインＭ１２のみを誤配線していることが分かる。また、正電源ライン全体判定手段１５３の出力は１となり、正電源ライン全体表示手段１４４は正常時と同様に点灯すると共に連続音が鳴るが、負電源ラインＭ１３の検査において、誤配線されている箇所の負電源ライン個別表示手段１４５は不良の表示として点灯せず、負電源ライン全体表示手段１４６は不良として点灯せず、断続音が鳴る。なお、正電源ラインＭ１２に接続されるべきものが負電源ラインＭ１３に接続されている場合も同様に動作する。
【００７１】
（ワイヤハーネスＭの正電源ラインＭ１２又は負電源ラインＭ１３に断線がある場合）
ワイヤハーネスＭについて、例えば、図１２に示したように、正電源ラインＭ１２又は負電電ラインＭ１３に断線がある場合には、次のように動作する。例えば、正電源ラインＭ１２に断線がある場合には、正電源ラインＭ１２を検査する際に、断線がある箇所において、正電源ライン第１受ピン１０１−Ｐ、配線１５１、及び、正電源ライン個別表示手段１４３に信号が入力されず、正電源ライン個別表示手段１４３は不通として点灯しない。また、正電源ライン全体判定手段１５３の出力も０となり、正電源ライン全体表示手段１４４は不良として点灯せず、断続音が鳴る。なお、負電源ラインＭ１３に断線がある場合も同様に動作する。
【００７２】
（ワイヤハーネスＭの正電源ラインＭ１２と負電源ラインＭ１３とにショートがある場合）
ワイヤハーネスＭの正電源ラインＭ１２と負電電ラインＭ１３とにショートがある場合には、次のように動作する（図３参照）。例えば、正電源ラインＭ１２を検査する際も、負電源ラインＭ１３を検査する際も、電源ラインショート検出手段１７０に、正電源ライン第２受ピン１０２−Ｐに入力される信号１と、負電源ライン第２受ピン１０２−Ｎに入力される信号１とが入力されるので、１と１を乗算して、信号１を電源ラインショート表示手段１４７に出力する。電源ラインショート表示手段１４７は不良として点滅点灯すると共に、断続音が鳴る。
【００７３】
このように本実施の形態によれば、各信号ライン個別表示手段１４１において、所定の番号以降の全てに不通の表示がされた場合には、所定の番号の信号ラインＭ１１に断線があることが分かり、所定の番号において不通が表示され、所定の番号よりも後の番号において導通の表示がされた場合には、その不通の表示がされた番号の信号ラインＭ１１と導通の表示がされた番号の信号ラインＭ１１とが誤配線されていることが分かるので、信号ラインＭ１１について、断線の有無及び位置、並びに、誤配線の有無及び位置を容易に検出することができる。
【００７４】
また、第１受コネクタ１０１を通過した信号に基づいて、信号ライン全体における良否を知らせる信号ライン全体判定手段１３０を備えるようにすれば、不良の有無を容易に知ることができる。
【００７５】
更に、Ｌ番目の信号ライン第２受ピン１０２−ＳＬに入力されるＬ番信号と、Ｌ＋１番目の信号ライン第２受ピン１０２−ＳＬ＋１に入力されるＬ＋１番信号とを入力信号とし、これらの入力信号を乗算して、その結果を出力する信号ライン第２判定手段１８１と、信号ライン第２判定手段１８１の出力をセット入力信号、Ｌ番信号の反転信号を積分した信号をリセット入力信号とするフリップフロップ回路１８２とを有する信号ラインショート検出手段１８０を備えるようにすれば、フリップフロップ回路１８２の出力信号に基づいて、Ｌ番目とＬ＋１番目の信号ラインＭ１１−Ｌ，Ｍ１１−Ｌ＋１のショートを容易に検出することができる。
【００７６】
加えて、信号ラインショート検出手段１８０は、フリップフロップ回路１８２の出力の反転信号と、マルチバイブレータ１９９の出力とを入力信号とし、これらの入力信号を乗算して、その結果を出力する信号ライン第３判定手段１８３を有するようにすれば、ショートがある場合に、一定の間隔を開けたパルス信号を出力することができる。よって、信号ラインショート検出手段１８０の出力信号と、信号ライン第１受ピン１０１−Ｎを通過した信号とを入力信号とし、これらの入力信号を乗算して、その結果を出力する信号ライン個別判定手段１２１を設けるようにすれば、信号ライン個別表示手段１２１において、信号ラインの断線、誤配線、及び、ショートを区別して表示することができる。よって、容易に不良の内容を知ることができる。
【００７７】
更にまた、各正電源ラインＭ１２の導通状態を第１色の光で表示する正電源ライン個別表示手段１４３と、各負電源ラインＭ１３の導通状態を第１色とは異なる第２色の光で表示する負電源ライン個別表示手段１４５とを備えるようにすれば、光及び色により、正電源ラインＭ１２及び負電源ラインＭ１３の断線、及び、誤配線を区別して表すことができる。よって、正電源ラインＭ１２及び負電源ラインＭ１３について、断線の有無及び位置、並びに、誤配線の有無及び位置を容易に検出することができる。
【００７８】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００７９】
１００…ワイヤハーネス検査装置、１０１…第１受コネクタ、１０１−Ｐ…正電源ライン第１受ピン、１０１−Ｎ…負電源ライン第１受ピン、１０２…第２受コネクタ、１０２−Ｐ…正電源ライン第２受ピン、１０２−Ｎ…負電源ライン第２受ピン、１０３…本体回路基板、１０４…増設回路基板、１０５…電源装置、１１０…信号ライン誤配線検査部、１１１…信号ライン第１判定手段、１１２…ダイオード、１１３…ノイズフィルター、１２０…信号ライン個別総合判断部、１２１…信号ライン個別判定手段、１２２…ダイオード、１３０…信号ライン全体判定手段、１３１…ダイオード、１４０…表示部、１４１…信号ライン個別表示手段、１４２…信号ライン全体表示手段、１４３…正電源ライン個別表示手段、１４４…正電源ライン全体表示手段、１４５…負電源ライン個別表示手段、１４６…負電源ライン全体表示手段、１４７…電源ラインショート表示手段、１５０…正電源ライン検査部、１５１…配線、１５２…ダイオード、１５３…正電源ライン全体判定手段、１６０…負電源ライン検査部、１６１…配線、１６２…ダイオード、１６３…負電源ライン全体判定手段、１７０…電源ラインショート検出手段、１８０…信号ラインショート検出手段、１８１−Ｌ…信号ライン第２判定手段、１８２−Ｌ…反転手段、１８３−Ｌ…積分手段、１８４−Ｌ…フリップフロップ回路、１８５−Ｌ…反転手段、１８６−Ｌ…信号ライン第３判定手段、１８７−Ｌ…反転手段、１９１…信号ライン検査スイッチ、１９２…信号ライン入力手段、１９３…基準信号入力手段、１９４…遅延信号回路、１９５…正電源ライン検査スイッチ、１９６…正電源ライン入力手段、１９７…負電源ライン検査スイッチ、１９８…負電源ライン入力手段、１９９…マルチバイブレータ、Ｍ…ワイヤハーネス、Ｍ１…電線、Ｍ２…第１コネクタ、Ｍ３…第２コネクタ，Ｍ１１…信号ライン、Ｍ１２…正電源ライン、１３…負電源ライン
【図１】
2018141756.tif 000004
【図２】
2018141756.tif 000005
【図３】
2018141756.tif 000006
【図４】
2018141756.tif 000007
【図５】
2018141756.tif 000008
【図６】
2018141756.tif 000009
【図７】
2018141756.tif 000010
【図８】
2018141756.tif 000011
【図９】
2018141756.tif 000012
【図１０】
2018141756.tif 000013
【図１１】
2018141756.tif 000014
【図１２】
2018141756.tif 000015